(57)【要約】【課題】ノズルの流体素子の空気穴に供給する空気を可変にすることができるを提供する。【解決手段】洗浄ノズル１を有すると共に該洗浄ノズル１の下流側に温水を人体の局部へ向けて発振可能に噴出する流体素子２を設けた局部洗浄装置である。流体素子２を、洗浄ノズル１から流出する温水が流入する流入口２４及び流入した温水を人体局部へ向けて噴出する大気開放した噴出口２２と、前記流入口２４と噴出口２２とを接続する主経路２３と、主経路２３の下流側から分流して再び主経路２３の上流側に合流する該主経路２３の両側にそれぞれ形成される二個のフィードバック流路２５（２５ａ，２５ｂ）とで構成した。流体素子２の主経路２３に空気穴２７を形成すると共に、空気穴２７を空気経路４０の一端に接続すると共に他端を空気供給手段に接続した。【選択図】        図１
2004204498.tif 000002
【特許請求の範囲】
【請求項１】
洗浄ノズルを有すると共に該洗浄ノズルの下流側に温水を人体の局部へ向けて発振可能に噴出する流体素子を設けた局部洗浄装置であって、前記流体素子を、洗浄ノズルから流出する温水が流入する流入口及び流入した温水を人体局部へ向けて噴出する大気開放した噴出口と、前記流入口と噴出口とを接続する主経路と、主経路の下流側から分流して再び主経路の上流側に合流する該主経路の両側にそれぞれ形成される二個のフィードバック流路とで構成し、流体素子の主経路に空気穴を形成すると共に、空気穴を空気経路の一端に接続すると共に他端を空気供給手段に接続して成ることを特徴とする局部洗浄装置。
【請求項２】
空気供給手段にて供給する空気量を増加させるとともに水の流量を減少させる制御手段を設けて成ることを特徴とする請求項１記載の局部洗浄装置。
【請求項３】
空気供給手段にて供給する空気量を増加させるとともに水の流量を増加させる制御手段を設けて成ることを特徴とする請求項１記載の局部洗浄装置。
【請求項４】
空気供給手段による空気供給量を間欠的に変化させる制御手段を設けて成ることを特徴とする請求項１乃至３のいずれかに記載の局部洗浄装置。
【請求項５】
水の流量を検知する水流量検知手段を設けると共に、該水流量検知手段にて検知した水流量に基づいて空気供給手段による空気供給量を変化させることを特徴とする請求項１乃至４のいずれかに記載の局部洗浄装置。
【請求項６】
空気経路に開閉弁を設けて成ることを特徴とする請求項１乃至５記載の局部洗浄装置。
【請求項７】
使用者が任意に洗浄面積を調節するための操作部および該操作部からの信号に基づいて洗浄面積を制御する制御部を設けて成ることを特徴とする請求項１乃至６記載の局部洗浄装置。
【発明の詳細な説明】
【０００１】
【発明の属する技術分野】
本発明は、人体局部を洗浄するための局部洗浄装置に関するものである。
【０００２】
【従来の技術】
従来より、人体局部を洗浄するための局部洗浄装置が用いられている。これは、図２に示すようなもので、局部洗浄を行う機構を有する装置本体Ｈと、該装置本体Ｈに回動自在に設けらる便座Ｂおよび便蓋Ｂ１と、装置本体Ｈに設けられる操作部６と、局部洗浄を行うために温水を噴出するノズル１と、使用者の有無を赤外線にて検知する人感センサ７ーとで構成される。
【０００３】
この従来の局部洗浄装置の水の流れについて説明する。図１３に示すように、水道３１に水経路３２の上流端部が接続され、この水経路３２の上流側から順に、水経路３２の開閉を行う給水弁３３、給水弁３３から流れてくる水を加温して貯えるためのヒーター（図示せず）を内蔵した温水タンク３４、水経路３２内に温水を流すための水ポンプ３５、温水を人体局部に噴出するためのノズル１及びノズル１の下流端部に流体素子２が設けてある。
【０００４】
流体素子２には、主経路と、二つのフィードバック流路と、主経路に設けた空気穴とを備えている。主経路の入口から流入した温水は、主経路下流の噴出口に向かって流れるのであるが、ある時点において一方の左右のフィードバック流路に付着した状態で流れ、次に他方のフィードバック流路に付着した状態で流れ付着方向が交互に変更されて発振状態となって噴出口から噴出される。また、主経路に空気穴を設けたことで、主経路を水が流れると空気穴から空気を吸入して水に空気が混入され、これによって水の流速が増して衝撃圧力が大きくなり、人体局部にマッサージ効果等を良く与えることができて使用者の満足度の向上が図れる。
【０００５】
しかしながら、このようなものにあっては、空気穴からの空気の取り込み量を変えることが出来ないため、発振の巾つまり洗浄面積を変えることが出来なかった。
【０００６】
【特許文献１】
特開平７−２０５６３号公報
【０００７】
【発明が解決しようとする課題】
本発明は上記の点に鑑みてなされたものであり、その目的とするところは、ノズルの流体素子の空気穴に供給する空気を可変にすることができる局部洗浄装置を提供することを課題とするものである。
【０００８】
【課題を解決するための手段】
上記課題を解決するために本発明に係る局部洗浄装置は、洗浄ノズル１を有すると共に該洗浄ノズル１の下流側に温水を人体の局部へ向けて発振可能に噴出する流体素子２を設けた局部洗浄装置であって、前記流体素子２を、洗浄ノズル１から流出する温水が流入する流入口２４及び流入した温水を人体局部へ向けて噴出する大気開放した噴出口２２と、前記流入口２４と噴出口２２とを接続する主経路２３と、主経路２３の下流側から分流して再び主経路２３の上流側に合流する該主経路２３の両側にそれぞれ形成される二個のフィードバック流路２５（２５ａ，２５ｂ）とで構成し、流体素子２の主経路２３に空気穴２７を形成すると共に、空気穴２７を空気経路４０の一端に接続すると共に他端を空気供給手段に接続して成ることを特徴とするものである。このような構成とすることで、流体素子２にて発振する水の幅を変化させて洗浄面積を増減することができ、使用者が洗浄部位を任意に調節することができるとともに、マッサージ効果等を与えることが可能となる。
【０００９】
また、空気供給手段にて供給する空気量を増加させるとともに水の流量を減少させる制御手段５を設けることが好ましい。このような構成とすることで、水の衝撃圧力を発振の幅に関係なく一定に保つことが可能となる。
【００１０】
また、空気供給手段にて供給する空気量を増加させるとともに水の流量を増加させる制御手段５を設けることが好ましい。このような構成とすることで、空気量の増加による水勢の増大のうえに、流量増大による水勢の増大も加わって、浣腸及び排便促進等の一層の効果を与えられる。
【００１１】
また、空気供給手段による空気供給量を間欠的に変化させる制御手段５を設けることが好ましい。このような構成とすることで、使用者へマッサージ効果を与えることができる。
【００１２】
また、水の流量を検知する水流量検知手段３６を設けると共に、該水流量検知手段３６にて検知した水流量に基づいて空気供給手段による空気供給量を変化させることが好ましい。このような構成とすることで、水道の流量のバラツキや水路でのバラツキ等による水流量のバラツキによって衝撃圧力がばらつくのを抑えることができる。
【００１３】
また、空気経路４０に開閉弁４２を設けることが好ましい。このような構成とすることで、開閉弁４２を閉じて空気供給量をなくすことで水勢を小さく抑え、刺激（衝撃）を与えるべきでない痔や下痢等の患者にも優しい洗浄を行うことができる。
【００１４】
また、使用者が任意に洗浄面積を調節するための操作部６および該操作部６からの信号に基づいて洗浄面積を制御する制御手段５を設けることが好ましい。このような構成とすることで、使用者が任意に汚物の付着した部分の洗浄面積を変化させたりすることができる。
【００１５】
【発明の実施の形態】
以下、本発明を添付図面に示す実施形態に基づいて説明する。局部洗浄装置は、図２に示すように、装置本体Ｈと便座Ｂ及び便蓋Ｂ１とで主体が構成される。装置本体Ｈは、便器の上開口の後部に載置固定され、その前側に上下に回動自在となるように便座Ｂを軸支してあり、この便座Ｂを便器の上開口の周縁部に載置して人体が着座される。なお、便座Ｂとしては、内部にヒーターを設けた暖房便座であってもよい。
【００１６】
装置本体Ｈは、図３に示すように、その水経路３２の上流端部が水道３１に接続される。水経路３２には上流側から順に、水経路３２の開閉を行う給水弁３３、給水弁３３から流れてくる水を加温して貯えるためのヒーター（図示せず）を内蔵した温水タンク３４、水経路３２内に温水を流すための水ポンプ３５、水経路３２の水流量を計測する流量センサー３６、そして下流側の端部には温水を人体局部に噴出するためのノズル１及びノズル１の下流端部に流体素子２が配設される。
【００１７】
更に、上述した水経路３２とは別の空気経路４０が設けられる。空気経路４０は、その下流側の端部が上述した水経路３２の下流側の端部に配設されるノズル１（詳しくは後述する流体素子２）に接続されるもので、空気経路４０の上流側の端部に空気供給手段としてのエアポンプ４１が設けられるとともに、空気経路４０の途中に該空気経路４０を開閉する電磁弁４２が設けてある。
【００１８】
また、装置本体Ｈには、上述した機器、即ち温水タンク３４や水ポンプ３５、エアポンプ４１、電磁弁４２等の機器を制御するための制御部５と、この制御部５に制御信号を送信するための操作部６が設けてある。
【００１９】
またノズル１は、お尻洗浄ノズル１ａと、ビデ洗浄ノズル１ｂと、便器洗浄ノズル１ｃと、ノズル洗浄ノズル１ｄ等からなるもので、後述する。
【００２０】
このような局部洗浄装置の基本的な動作について説明する。
【００２１】
使用者は、便座Ｂに着座して排便等の用を足した後、操作部６を操作してお尻浄ノズル１ａを突出させるともにお尻洗浄ノズル１ａから温水を噴出させる。これは、操作部６からの操作信号によって、制御部５が水ポンプ３５を駆動して温水タンク３４の温水をお尻洗浄ノズル１ａに搬送すると、お尻洗浄ノズル１ａが前方に突出するように形成してあり、これによって肛門の洗浄が行われる。
【００２２】
ノズル１は、図４に示すように、お尻を洗浄するお尻洗浄ノズル１ａと、ビデ洗浄ノズル１ｂと、便器を洗浄する便器洗浄ノズル１ｃと、これらお尻洗浄ノズル１ａとビデ洗浄ノズル１ｂと便器洗浄ノズル１ｃを洗浄するノズル洗浄ノズル１ｄの４個のノズルから構成され、これらは切替え弁１０（本実施形態ではロータリー切替え弁）にて水路の切り替えを行ってそれぞれ使用される。
【００２３】
お尻洗浄ノズル１ａとビデ洗浄ノズル１ｂは、それぞれ使用時に装置本体Ｈより前方に突出させるもので、図８に示すお尻洗浄スイッチ６１又はビデ洗浄スイッチ６２を操作させことで行う。お尻洗浄ノズル１ａとビデ洗浄ノズル１ｂはそれぞれ、内部が水の流路となるシリンダ部１１と可動部１２とで主体が構成され、装置本体Ｈに固定されるシリンダ部１１に前方に突没自在となるように可動部１２を挿入してある。シリンダ部１１の前方側の端部と可動部１２の後方側の端部とにフランジ部１１ａ，１２ａがそれぞれ設けてあり、このフランジ部１１ａ，１２ａ間にばね１３を介在させて可動部１２がシリンダ部１１に対して後方にばね付勢してある（図５（ａ）参照）。これにより、お尻洗浄ノズル１ａ（又はビデ洗浄ノズル１ｂ）の使用時に、水ポンプ３５にてお尻洗浄ノズル１ａ（又はビデ洗浄ノズル１ｂ）に温水を搬送した際にその水圧にて可動部１２のフランジ部１２ａがばね１３のばね力に抗して前方に押され、お尻洗浄ノズル１ａ（又はビデ洗浄ノズル１ｂ）の可動部１２が前方に伸びることとなる（図５（ｂ）参照）。そして、使用後に温水の搬送を停止すると、ばね１３の復元力によって可動部１２は再び後方に没入される（図５（ａ）参照）。なお、ノズル１（１ａ，１ｂ）の伸縮にはこのような水圧の利用に代えてモータ等を使用してもよい。
【００２４】
また、図８に示す水勢調節スイッチ６３にて水勢を切り換えることができるとともに、湯温調節スイッチ６４にて水温を変更することができる。
【００２５】
このようなお尻洗浄ノズル１ａには、下流側の端部に流体素子２を設けるとともに、この流体素子２に空気経路４０を接続して空気を供給可能とするもので、以下に説明する。
【００２６】
流体素子２には、図１に示すように、上流側に略Ｌ字状をした導入水路２０が形成してある。この略Ｌ字状をした導入水路２０の一方の辺の端部がお尻洗浄ノズル１ａの流路の下流側の端部と接続されて給水口２１となっており、他方の辺の途中から略垂直に主経路２３が形成してある。
【００２７】
主経路２３は、上流側の端部が上記導入水路２０に接続されるとともに、下流側の端部は大気へ開放される噴出口２２となっている。この主経路２３には、途中の下流側で側方に分流して再び上流側にて合流するフィードバック流路２５（２５ａ，２５ｂ）が両側にそれぞれ形成してある。主経路２３のフィードバック流路２５へ分流する部分よりも下流側には、末広がりのテーパ部２６が形成されている。また、主経路２３のフィードバック流路２５の合流する部分には、外部と連通する空気穴２７が形成される。また、前記主経路２３の空気穴２７（即ちフィードバック流路２５の合流部分）より下流側の径ｄ２は上流側の径ｄ１より大径に形成してある。
【００２８】
本発明においては、この空気穴２７に空気経路４０を接続してエアポンプ４１にて空気を強制的に供給するのであるが、説明するにあたってまず強制的に空気を供給しない場合について説明する。
【００２９】
お尻洗浄ノズル１ａからの水は導入水路２０を介して主経路２３に流入し、噴出口２２に向かって流れるものである。このとき、噴出口２２へ向けて流れる水の一部はフィードバック流路２５に流入して上流側の合流部分にて合流する。主経路２３の合流部分（即ち空気穴２７が形成された部分）より下流側は上流側より大径となるように形成しているため、主経路２３の合流部分より下流側においては、ある時点においてコアンダ効果によってどちらか一方の内側壁面（即ち左右のフィードバック流路２５のうちのどちらか一方のフィードバック流路（２５ａ又は２５ｂ）側の内側壁面）に付着した状態で水が流れ、付着した側に曲がった状態で噴出口２２から噴出されることになる。この時、水が付着している側のフィードバック流路（２５ａ又は２５ｂ）は流れる水が多くなって閉塞され、反対側のフィードバック流路（２５ｂ又は２５ａ）の圧力よりも高くなる。すると、主経路２３を流れる水は反対側の低圧のフィードバック流路（２５ｂ又は２５ａ）側の内側壁面に付着するようになって今度は反対側に曲がった状態で噴出されることとなり、このように付着方向が交互に変更されて発振状態となるものである。
【００３０】
また、主経路２３に空気穴２７を設けたことで、主経路２３を水が流れると空気穴２７から空気を吸入して水に空気が混入され、これによって水の流速が増して衝撃圧力が大きくなり、人体局部にマッサージ効果等を良く与えることができて使用者の満足度の向上が図れる。
【００３１】
しかしながら、強制的に空気を水に混入しない場合、混入される空気は主経路２３を流れる水による負圧にて外部から吸引されるのみで、空気の混入量の調節が行えない。そこで、本発明のように空気経路４０及び、空気供給手段としてのエアポンプ４１と電磁弁４２を設けて、混入する空気量を調節自在とするものである。
【００３２】
水に混入される空気は、その量が多くなればなる程、噴出される水の流速は大きくなるが、水中の空気の占有率が大きくなって左右に振れにくくなり、発振の幅が小さくなって洗浄面積が小さくなる。逆に、水に混入される空気量が少なくなると、噴出される水の流速は小さくなるとともに、発振の幅が大きくなって洗浄面積が大きくなる。また、空気が混入されない場合には、水の流速が小さいものの発振の幅も小さくなる。
【００３３】
また、使用者が任意に洗浄面積を調節するための操作部６を設け、該操作部６からの信号に基づいて洗浄面積を制御する制御部５が装置本体Ｈに設けある。これは、図８に示すように、ダイヤル６７を操作して洗浄面積を調節するもので、これにより、洗浄面積を小さくする（発振幅を小さくする）場合には、水に混入される空気の量が多くなるよう制御し、洗浄面積を大きくする場合には、水に混入される空気の量が少なくなるように制御部５にて制御する。洗浄面積の調節は、図８に示すように操作部６のダイヤル６７によって行う。また、操作部６には、他に５段階の水勢切り替えスイッチ６３、３段階の湯温切り替えスイッチ６４があり、また後述する「ソフト洗浄」スイッチ６５、「洗浄面積リズム洗浄」スイッチ６６がある。
【００３４】
このように、空気穴２７から水に混入される空気量が増減すると、水の流速及び発振の幅（即ち洗浄面積）が変化するため、様々な動作モードが考えられる。
【００３５】
基本的な動作モードとして、空気供給手段にて空気穴２７から流体素子２内に供給する空気量を増加させるとともに、水経路３２を流れる水の流量を減少させるように制御部５にて制御するモードがある（図９（ｂ）参照）。これは、水の流量を検知する水流量検知手段３６を設け、該水流量検知手段３６にて検知した水経路３２を流れる水流量に基づいて空気供給手段による空気供給量を変化させる。このときの供給する空気量と洗浄面積の関係は図９（ａ）に示すように、空気量が多いほど洗浄面積（即ち発振の幅）が小さくなるものである。このように制御することで、噴出口２２から噴出される水の衝撃圧力をほぼ一定に保つことが可能となる。
【００３６】
また、他の基本的な動作モードとして、図示はしないが、空気供給手段にて空気穴２７から流体素子２内に供給する空気量を増加させるとともに、水経路３２を流れる水の流量を増加させるように制御部５にて制御するモードがある。このように制御することで、空気供給手段にて空気穴２７から流体素子２内に供給する空気量の増加にともなう水の衝撃圧力の増加に加えて、水の流量の増加によっても水の衝撃圧力が更に増加することとなって、より一層水の衝撃圧力が増加して、便秘の使用者に浣腸や排便を促進させる効果を与えることができる。
【００３７】
また、空気供給手段にて空気穴２７から流体素子２内に供給する空気量を減少させるとともに、水経路３２を流れる水の流量を減少させるように制御部５にて制御してもよい。このように制御することで、空気供給手段にて空気穴２７から流体素子２内に供給する空気量の減少にともなう水の衝撃圧力の減少に加えて、水の流量の減少によっても水の衝撃圧力が更に減少することとなって、より一層水の衝撃圧力が減少して、痔や下痢等を起こしている使用者にも優しくなって満足度を向上させることができる。
【００３８】
他の洗浄モードについて説明する。
【００３９】
まず、ソフト洗浄について説明する。これは、図８に示す操作部６にある「ソフト洗浄」スイッチ６５を操作して行う。ソフト洗浄は、図１２の時間０〜ｔ１の部分に示されるように、電磁弁４２を閉じることで空気穴２７からの空気の供給をなくし、水の流速を最も小さくするものである。これにより、水の衝撃圧力を小さくすることができて、ソフトな洗浄とすることができる。
【００４０】
次に、洗浄面積リズム洗浄について説明する。これは、図８に示す操作部６にある「洗浄面積リズム洗浄」スイッチ６６を操作して行う。洗浄面積リズム洗浄は、図１２の時間ｔ３〜ｔ６の部分に示されるように、電磁弁４２を開いた状態でエアポンプ４１からの空気供給量を増減するように制御手段５にて制御するもので、これによって空気供給量が減少すると洗浄面積（発振の幅）が増大し（図１２の時間ｔ３〜ｔ４，ｔ５〜ｔ６の部分）、空気供給量が増大すると洗浄面積（発振の幅）が減少する（図１２の時間ｔ４〜ｔ５の部分）。これにより、自動で洗浄面積が増減してマッサージ効果を得ることができる。また、空気供給量の増大に伴って水流を減少させてもよく、この場合、水の衝撃圧力を一定に保つことが可能となる。
【００４１】
なお図１２には、種々のモードを行った場合のタイムチャートを示してある。図１２（ａ）には衝撃圧力を、図１２（ｂ）には洗浄面積（発振の幅）を示す。時間ｔ０〜ｔ１の部分はソフト洗浄で、時間ｔ１〜ｔ２の部分は通常洗浄（即ち空気供給量を少なくした場合の洗浄）で、時間ｔ２〜ｔ３の部分は洗浄面積可変洗浄で、時間ｔ３〜ｔ６の部分は洗浄面積リズム洗浄である。
【００４２】
また、図１１に示すように、制御手段によって空気供給手段による空気供給量を間欠的に変化させてもよい。これは、空気供給量の増大・減少に伴って流量を減少・増大させて（図１１（ａ）（ｂ）参照）、洗浄面積及び衝撃圧力を一定に保つものである（図１１（ｃ）参照）。このように、洗浄面積を間欠的に変化させることで使用者へのマッサージ効果を与え、便意を促すことができる。
【００４３】
【発明の効果】
上記のように本発明の請求項１記載の発明にあっては、洗浄ノズルを有すると共に該洗浄ノズルの下流側に温水を人体の局部へ向けて発振可能に噴出する流体素子を設けた局部洗浄装置であって、前記流体素子を、洗浄ノズルから流出する温水が流入する流入口及び流入した温水を人体局部へ向けて噴出する大気開放した噴出口と、前記流入口と噴出口とを接続する主経路と、主経路の下流側から分流して再び主経路の上流側に合流する該主経路の両側にそれぞれ形成される二個のフィードバック流路とで構成し、流体素子の主経路に空気穴を形成すると共に、空気穴を空気経路の一端に接続すると共に他端を空気供給手段に接続したので、流体素子にて発振する水の幅を変化させて洗浄面積を増減することができ、使用者が洗浄部位を任意に調節することができるとともに、マッサージ効果等を与えることが可能となる。
【００４４】
また請求項２記載の発明にあっては、上記請求項１記載の発明の効果に加えて、空気供給手段にて供給する空気量を増加させるとともに水の流量を減少させる制御手段を設けたので、水の衝撃圧力を発振の幅に関係なく一定に保つことが可能となる。
【００４５】
また請求項３記載の発明にあっては、上記請求項１記載の発明の効果に加えて、空気供給手段にて供給する空気量を増加させるとともに水の流量を増加させる制御手段を設けたので、空気量の増加による水勢の増大のうえに、流量増大による水勢の増大も加わって、浣腸及び排便促進等の一層の効果を与えられる。
【００４６】
また請求項４記載の発明にあっては、上記請求項１乃至３記載の発明の効果に加えて、空気供給手段による空気供給量を間欠的に変化させる制御手段を設けたので、使用者へマッサージ効果を与えることができる。
【００４７】
また請求項５記載の発明にあっては、上記請求項１乃至４記載の発明の効果に加えて、水の流量を検知する水流量検知手段を設けると共に、該水流量検知手段にて検知した水流量に基づいて空気供給手段による空気供給量を変化させたので、水道の流量のバラツキや水路でのバラツキ等による水流量のバラツキによって衝撃圧力がばらつくのを抑えることができる。
【００４８】
また請求項６記載の発明にあっては、上記請求項１乃至５記載の発明の効果に加えて、空気経路に開閉弁を設けたので、開閉弁を閉じて空気供給量をなくすことで水勢を小さく抑え、刺激（衝撃）を与えるべきでない痔や下痢等の患者にも優しい洗浄を行うことができる。
【００４９】
また請求項７記載の発明にあっては、上記請求項１乃至６記載の発明の効果に加えて、使用者が任意に洗浄面積を調節するための操作部および該操作部からの信号に基づいて洗浄面積を制御する制御部を設けたので、使用者が任意に汚物の付着した部分の洗浄面積を変化させたりすることができる。
【図面の簡単な説明】
【図１】本発明の局部洗浄装置における流体素子の断面図である。
【図２】同上の局部洗浄装置の全体斜視図である。
【図３】同上の水の経路の説明図である。
【図４】同上の洗浄ノズルの斜視図である。
【図５】同上のお尻洗浄ノズル及びビデ洗浄ノズルの伸縮を説明する図であり、（ａ）は縮時の断面図であり、（ｂ）は伸時の断面図である。
【図６】同上のお尻洗浄ノズルの説明図であり、（ａ）は斜視図であり、（ｂ）は側面図であり、（ｃ）は側断面図である。
【図７】同上の制御部の説明図である。
【図８】同上の操作部の説明図である。
【図９】水勢を一定に保つ場合において、（ａ）は空気供給手段による空気の供給量と洗浄面積との関係を示す図であり、（ｂ）は空気供給手段による空気の供給量と水流量との関係を示す図である。
【図１０】同上の場合において、（ａ）は空気供給手段による空気の供給量のタイムチャートであり、（ｂ）は水流量のタイムチャートであり、（ｃ）は洗浄面積のタイムチャートである。
【図１１】同上で流量センサーを用いた場合において、（ａ）は水流量のタイムチャートであり、（ｂ）は空気供給手段による空気の供給量のタイムチャートであり、（ｃ）は洗浄面積および衝撃圧力のタイムチャートである。
【図１２】ソフト洗浄、洗浄面積可変洗浄、洗浄面積リズム洗浄を行う場合において、（ａ）は衝撃圧力のタイムチャートであり、（ｂ）は洗浄面積のタイムチャートである。
【図１３】従来の局部洗浄装置の水の経路の説明図である。
【符号の説明】
１  洗浄ノズル
２  流体素子
２２  噴出口
２３  主経路
２４  流入口
２５  フィードバック流路
２７  空気穴
４０  空気経路
【図１】
2004204498.tif 000003
【図２】
2004204498.tif 000004
【図３】
2004204498.tif 000005
【図４】
2004204498.tif 000006
【図５】
2004204498.tif 000007
【図６】
2004204498.tif 000008
【図７】
2004204498.tif 000009
【図８】
2004204498.tif 000010
【図９】
2004204498.tif 000011
【図１０】
2004204498.tif 000012
【図１１】
2004204498.tif 000013
【図１２】
2004204498.tif 000014
【図１３】
2004204498.tif 000015